(57)【要約】【課題】外部記憶装置を介することなく、監視制御システムで作成したメンテナンス用データベースをバックアップシステムへ即時反映することができる電力系統分散監視制御システムを得る。【解決手段】監視制御システム１のメンテナンス計算機１２は、設備が変更されたとき新しい世代のメンテナンス用データベース１２１をメンテナンス用データベース作成手段１２２により作成し、このメンテナンス用データベース１２２及び運用中データベース１１１を１ファイルにした送信用データファイル１４１を送信用データファイル作成手段１２４により作成し、試験したのち、バックアップシステム２に送信して、バックアップシステム２側のメンテナンス計算機２２では、これを復元手段２２３により復元してデータベースの切替えを行うようにした。【選択図】図１
2009064149.tif 000002
【特許請求の範囲】
【請求項１】
電力系統を監視制御する第一のシステムと、この第一のシステムをバックアップする第二のシステムとにより構成される電力系統分散監視制御システムにおいて、
上記第一及び第二のシステムは、それぞれ、上記電力系統を構成する設備のデータを収録した運用中データベースを有する主計算機と、上記設備が変更されたとき上記運用中データベースをメンテナンスするために形成されたメンテナンス用データベースを有するメンテナンス計算機とを備え、
上記運用中データベース及び上記メンテナンス用データベースは、それぞれ、世代情報を有すると共に、上記第一及び第二のシステムのメンテナンス計算機は、互いにネットワークを介して接続され、
上記第一のシステムのメンテナンス計算機は、上記設備が変更されたとき新しい世代の上記メンテナンス用データベースを作成するメンテナンス用データベース作成手段と、上記運用中データベースの世代情報及び上記新しい世代のメンテナンス用データベースを含む送信用データファイルを作成する送信用データファイル作成手段と、この送信用データファイル作成手段によって作成された送信用データファイルを上記第二のシステムのメンテナンス計算機に送信する送信手段とを有し、
上記第二のシステムのメンテナンス計算機は、上記第一のシステムのメンテナンス計算機から送信された上記送信用データファイルを受信する受信手段と、この受信手段により受信された上記送信用データファイルに含まれる上記第一のシステムの運用中データベースの世代情報と上記第二のシステムの運用中データベースの世代情報が一致したとき、上記送信用データファイルから上記第一のシステムのメンテナンス計算機によって作成された上記メンテナンス用データベースを復元する復元手段とを有することを特徴とする電力系統分散監視制御システム。
【請求項２】
上記第二のシステムのメンテナンス計算機は、上記第一のシステムのメンテナンス計算機から送信された上記送信用データファイルが複数あるときは、時刻の古い送信用データファイルから順番に、上記復元手段により上記メンテナンス用データベースを復元することを特徴とする請求項１記載の電力系統分散監視制御システム。
【請求項３】
上記第二のシステムのメンテナンス計算機は、上記メンテナンス用データベース作成手段と、上記送信用データファイル作成手段と、この送信用データファイル作成手段によって作成された送信用データファイルを上記第一のシステムのメンテナンス計算機に送信する送信手段とを有するとともに、
上記第一のシステムのメンテナンス計算機は、上記第二のシステムのメンテナンス計算機から送信された上記送信用データファイルを受信する受信手段と、この受信手段により受信された上記送信用データファイルに含まれる上記第二のシステムの運用中データベースの世代情報と上記第一のシステムの運用中データベースの世代情報が一致したとき、上記送信用データファイルから上記第二のシステムのメンテナンス計算機によって作成された上記メンテナンス用データベースを復元する復元手段とを有することを特徴とする請求項１または請求項２記載の電力系統分散監視制御システム。
【請求項４】
上記第一及び第二のシステムのメンテナンス計算機の上記メンテナンス用データベース作成手段は、未復元の上記送信用データファイルが存在しないときにだけ、上記メンテナンス用データベースを作成するようにしたことを特徴とする請求項３記載の電力系統分散監視制御システム。
【発明の詳細な説明】
【技術分野】
【０００１】
この発明は、監視制御システム及びそのバックアップシステムのそれぞれのメンテナンス計算機で作成するメンテナンス用データベースの共用化を図る電力系統分散監視制御システムに関するものである。
【背景技術】
【０００２】
中央給電指令所、基幹給電指令所等の電力系統分散監視制御システムは、システムの信頼性向上のため、そのバックアップシステムを構築する場合がある。
電力系統分散監視制御システムとそのバックアップシステムは、それぞれ独立したメンテナンス計算機を持ち、メンテナンス用データベースを個別に管理・作成している。このため、電力系統設備の変更に伴ってデータメンテナンスが発生した場合は、電力系統分散監視制御システムのメンテナンス計算機でメンテナンス用データベースを作成し、外部記憶装置（ＤＡＴテープ等）にデータを保存して、バックアップシステムにメンテナンス用データベースを反映するという作業を人間系で実施しており、この作業はメンテナンス計算機の機能を用いてはできなかった。
【０００３】
【特許文献１】特開２０００−２５９４７３号公報（第１１〜１９頁、図１）
【発明の開示】
【発明が解決しようとする課題】
【０００４】
従来技術では、電力系統分散監視制御システムのメンテナンス用データベースをバックアップシステムへ反映する際は、外部記憶装置等を用いて実施していたため、時間が掛かり修正データを即時反映できないという問題があった。
また、メンテナンス用データベースの管理・入れ替えは人間系で行うため、作業ミスが発生する可能性があるという問題もあった。
特許文献１には、二つのデータベースＡ、Ｂの同期を取る同期手段を有し、この同期手段は、データベースＡに存在してデータベースＢに存在しないエントリをデータベースＢに追加登録したのち、データベースＡとデータベースＢとを入替えて同じ処理を行うようにして、２つのデータベースを整合性を持って更新するものが記載されている。
しかしながら、特許文献１のものでは、一般的な管理方法を示したもので、エントリを登録することによって二つのデータベースを同期させるものであり、電力系統分散監視制御システムの特異性を考慮しておらず、上述のようなメンテナンス用データベースをバックアップシステムへ反映させるものではなかった。
【０００５】
この発明は、上述のような課題を解決するためになされたものであり、外部記憶装置を介することなく、監視制御システムで作成したメンテナンス用データベースをバックアップシステムへ即時反映することができる電力系統分散監視制御システムを得ることを目的にしている。
【課題を解決するための手段】
【０００６】
この発明に係わる電力系統分散監視制御システムにおいては、電力系統を監視制御する第一のシステムと、この第一のシステムをバックアップする第二のシステムとにより構成される電力系統分散監視制御システムにおいて、
第一及び第二のシステムは、それぞれ、電力系統を構成する設備のデータを収録した運用中データベースを有する主計算機と、設備が変更されたとき運用中データベースをメンテナンスするために形成されたメンテナンス用データベースを有するメンテナンス計算機とを備え、
運用中データベース及びメンテナンス用データベースは、それぞれ、世代情報を有すると共に、第一及び第二のシステムのメンテナンス計算機は、互いにネットワークを介して接続され、
第一のシステムのメンテナンス計算機は、設備が変更されたとき新しい世代のメンテナンス用データベースを作成するメンテナンス用データベース作成手段と、運用中データベースの世代情報及び新しい世代のメンテナンス用データベースを含む送信用データファイルを作成する送信用データファイル作成手段と、この送信用データファイル作成手段によって作成された送信用データファイルを第二のシステムのメンテナンス計算機に送信する送信手段とを有し、
第二のシステムのメンテナンス計算機は、第一のシステムのメンテナンス計算機から送信された送信用データファイルを受信する受信手段と、この受信手段により受信された送信用データファイルに含まれる第一のシステムの運用中データベースの世代情報と第二のシステムの運用中データベースの世代情報が一致したとき、送信用データファイルから第一のシステムのメンテナンス計算機によって作成されたメンテナンス用データベースを復元する復元手段とを有するものである。
【発明の効果】
【０００７】
この発明は、以上説明したように、電力系統を監視制御する第一のシステムと、この第一のシステムをバックアップする第二のシステムとにより構成される電力系統分散監視制御システムにおいて、
第一及び第二のシステムは、それぞれ、電力系統を構成する設備のデータを収録した運用中データベースを有する主計算機と、設備が変更されたとき運用中データベースをメンテナンスするために形成されたメンテナンス用データベースを有するメンテナンス計算機とを備え、
運用中データベース及びメンテナンス用データベースは、それぞれ、世代情報を有すると共に、第一及び第二のシステムのメンテナンス計算機は、互いにネットワークを介して接続され、
第一のシステムのメンテナンス計算機は、設備が変更されたとき新しい世代のメンテナンス用データベースを作成するメンテナンス用データベース作成手段と、運用中データベースの世代情報及び新しい世代のメンテナンス用データベースを含む送信用データファイルを作成する送信用データファイル作成手段と、この送信用データファイル作成手段によって作成された送信用データファイルを第二のシステムのメンテナンス計算機に送信する送信手段とを有し、
第二のシステムのメンテナンス計算機は、第一のシステムのメンテナンス計算機から送信された送信用データファイルを受信する受信手段と、この受信手段により受信された送信用データファイルに含まれる第一のシステムの運用中データベースの世代情報と第二のシステムの運用中データベースの世代情報が一致したとき、送信用データファイルから第一のシステムのメンテナンス計算機によって作成されたメンテナンス用データベースを復元する復元手段とを有するので、外部記憶装置を介さず、メンテナンス用データベースをバックアップシステム側に送信するため、修正データの即時反映が可能となる。
【発明を実施するための最良の形態】
【０００８】
実施の形態１．
以下にこの発明の実施の形態について、図１〜図５を用いて説明する。
図１は、この発明の実施の形態１による電力系統分散監視制御システムを示す構成図である。
図１において、監視制御システム１（第一のシステム）は、電力系統を構成する設備の設備データを格納した運用中データベース１１１を有し、電力系統を監視制御する主計算機１１と、電力系統を構成する設備の変更に伴いデータメンテナンスが発生したとき、運用中データベース１１１をメンテナンスするために作成されるメンテナンス用データベース１２１を有するメンテナンス計算機１２とがＬＡＮ１３により接続されている。
バックアップシステム２（第二のシステム）は、監視制御システム１をバックアップするために配置されたもので、運用中データベース２１１を有する主計算機２１と、メンテナンス用データベース２２１を有するメンテナンス計算機２２とがＬＡＮ２３により接続されている。
メンテナンス計算機１２とメンテナンス計算機２２とは、ネットワーク３により接続されている。
【０００９】
メンテナンス計算機１２は、設備が変更されたとき新しい世代のメンテナンス用データベースを作成するメンテナンス用データベース作成手段１２２と、このメンテナンス用データベース作成手段１２２によって作成されたメンテナンス用データベース及び運用中データベース１１１を１ファイルにした送信用データファイルを作成する送信用データファイル作成手段１２４と、この送信用データファイル作成手段１２４によって作成された送信用データファイルをメンテナンス計算機２２に送信する送信手段１２４と、新しい世代のメンテナンス用データベースを、古い世代のメンテナンス用データベース１２１に置き換えるデータベース切替手段１２５とを有する。
メンテナンス計算機２２は、メンテナンス計算機１２から送信された送信用データファイルを受信する受信手段２２２と、この受信手段２２２により受信された送信用データファイルの運用中データベース１１１の世代情報とバックアップシステム２側の運用中データベース２１１の世代情報が一致したとき、送信用データファイルからメンテナンス計算機１２によって作成されたメンテナンス用データベース１２１を復元する復元手段２２３と、復元されたメンテナンス用データベース１２１を、古い世代のメンテナンス用データベース２２１に置き換えるデータベース切替手段２２４とを有する。
【００１０】
図２は、この発明の実施の形態１による電力系統分散監視制御システムの監視制御システム側のデータメンテナンス処理を示すフローチャートである。
【００１１】
図３は、この発明の実施の形態１による電力系統分散監視制御システムの送信用データファイルの作成を示す説明図である。
図３において、１、１１１、１２１は図１におけるものと同一のものである。監視制御システムのメンテナンス計算機１２は、運用中データベース１１１及びメンテナンス用データベース１２１を１ファイルにした送信用データファイル１４１を作成し、バックアップシステムへ送信する。
【００１２】
図４は、この発明の実施の形態１による電力系統分散監視制御システムのバックアップシステム側のデータメンテナンス処理を示すフローチャートである。
【００１３】
図５は、この発明の実施の形態１による電力系統分散監視制御システムのバックアップシステム側のメンテナンス用データベース入れ替えを示す説明図である。
図５において、バックアップシステムのメンテナンス計算機２２は、受信した送信用データファイル１４１を元にして、運転中データベース２１１と、メンテナンス用データベース２２１を更新する。運転中データベース１１１ａと、メンテナンス用データベース１２１ａは、送信用データファイル１４１を仮領域に展開したものである。
【００１４】
次に、動作について説明する。
電力系統分散監視制御システムの監視制御システム１側のデータメンテナンスは、図２のフローチャートに従って、当該システムのメンテナンス用データベース１２１作成、バックアップシステム２へのメンテナンス用データベース１２１を含む送信用データファイル１４１の送信、運用中データベース１１１の切り替えを実施する。
メンテナンス計算機１２は、図３に示すように、監視制御システム１の運用中データベース１１１、メンテナンス用データベース１２１の各々に世代番号を付けて管理し、バックアップシステム２への送信用データファイル１４１の送信時は、監視制御システム１の運用中データベース１１１と、メンテナンス用データベース１２１の両方を１ファイルに集約し、バックアップシステム２への送信用データファイル１４１とする。
【００１５】
次に、メンテナンス計算機１２での処理を図２にしたがって詳しく説明する。
まず、ステップＳ１で、電力系統を構成する設備の変更に伴い、データメンテナンスが発生したとき、新しい世代のメンテナンス用データベース１２１を作成する。次いで、ステップＳ２で、作成したメンテナンス用データベース１２１を試験し、結果がＯＫかどうかを判断する。ＯＫでなければ、ステップＳ１に戻り、ＯＫであれば、ステップＳ３で、バックアップシステム２のメンテナンス計算機２２との接続が可能かどうかを判断する。
ステップＳ３で、接続が可能であれば、ステップＳ４で、送信用データファイル１４１を、運用中データベース１１１と、新しい世代のメンテナンス用データベース１２１の両方を１ファイルに集約することにより作成する。次いで、ステップＳ５で、作成した送信用データファイル１４１をバックアップシステム２のメンテナンス計算機２２に送信する。
ステップＳ６で、新しい世代のメンテナンス用データベース１２１を元にして、メンテナンス用データベース１２１と運用中データベース１１１の切り替えを行う。
【００１６】
一方、バックアップシステム２側のメンテナンス計算機２２は、図４に示す処理フローに従って、図５のようにして、バックアップシステム２のメンテナンス用データベースの切り替えを実施する。
次に、図４に従って、バックアップシステム２側のメンテナンス計算機２２のデータメンテナンス処理について説明する。
まず、ステップＳ１１で、監視制御システム１からの送信用データファイル１４１が存在するかどうかを判断する。
存在する場合には、ステップＳ１２で、送信用データファイル１４１を仮領域に展開し、ステップＳ１３で、送信用データファイル１４１に含まれる運用中データベース１１１ａの世代番号と、バックアップシステム２の運用中データベース２１１の世代番号が一致するかどうかを判定し、一致する場合のみ、ステップＳ１４で、送信用データファイル１４１に含まれるメンテナンス用データベース１２１ａが有効と判断し、展開した送信用データファイル１４１から、新しい世代のメンテナンス用データベース１２１を復元する。
【００１７】
ステップＳ１２で、送信用データファイル１４１を仮領域に展開し、送信用データファイル１４１に含まれる運用中データベース１１１ａの世代番号と、バックアップシステム２の運用中データベース２１１の世代番号が一致しない場合は、システム間のデータベースの整合性が合わなくなることを防止するため、メンテナンス計算機２２に保持するメンテナンス用データベース２２１の入れ替えを行わない。
ステップＳ１５で、復元されたメンテナンス用データベース１２１を、バックアップシステム２側で試験し、試験結果が良である場合は、ステップＳ１７で、新しい世代のメンテナンス用データベース１２１を元にして、メンテナンス用データベース２２１と運用中データベース２１１の切り替えを行う。
ステップＳ１５で、メンテナンス用データベース２２１の試験結果が不良である場合は、ステップＳ１６で、新しい世代のメンテナンス用データベース１２１の修正を行い、ステップＳ１５に戻って、試験結果が良となるまで再試験を実施後、メンテナンス用データベース２２１と運用中データベース２１１の切り替えを実施する。
【００１８】
なお、送信用データファイル１４１が複数存在する場合は、時系列で送信時刻の古いものから、順次、仮領域に展開して、試験及びメンテナンス用データベースと運用中データベースの切り替えを、繰り返し実施する。
【００１９】
なお、上述では、監視制御システム１側から送信用データファイル１４１を送信するようにしたが、バックアップシステム２側から送信用データファイルを送信するようにしてもよい。
このときは、バックアップシステム２側に、メンテナンス用データベース作成手段と、送信用データファイル作成手段と、送信手段とを持たせ、監視制御システム１側に、受信手段と、復元手段とを持たせる。
【００２０】
監視制御システム１およびバックアップシステム２で、世代番号が同一の運用中データベースに対して、メンテナンス用データベースを作成することを抑止するため、送信用データファイルがいずれのシステムにも存在しない場合のみ、メンテナンス用データベースを作成することを可能とする。
送信用データファイルが存在する場合は、片方のシステムのメンテナンス用データベース作成機能を抑止する。
【００２１】
実施の形態１によれば、外部記憶装置を介さず、メンテナンス用データベースをバックアップシステム側に送信するため、修正データの即時反映が可能となる。
また、人間系による管理・操作を少なくできるため、バックアップシステム側のメンテナンス用データベース入れ替え時の作業ミスを低減することができる。
【図面の簡単な説明】
【００２２】
【図１】この発明の実施の形態１による電力系統分散監視制御システムを示す構成図である。
【図２】この発明の実施の形態１による電力系統分散監視制御システムの監視制御システム側のデータメンテナンス処理を示すフローチャートである。
【図３】この発明の実施の形態１による電力系統分散監視制御システムの送信用データファイルの作成を示す説明図である。
【図４】この発明の実施の形態１による電力系統分散監視制御システムのバックアップシステム側のデータメンテナンス処理を示すフローチャートである。
【図５】この発明の実施の形態１による電力系統分散監視制御システムのバックアップシステム側のメンテナンス用データベース入れ替えを示す説明図である。
【符号の説明】
【００２３】
１  監視制御システム
１１  主計算機
１１１  運用中データベース
１２  メンテナンス計算機
１２１  メンテナンス用データベース
１２２  メンテナンス用データベース作成手段
１２３  送信用データファイル作成手段
１２４  送信手段
１２５  データベース切替手段
１３  ＬＡＮ
１４１  送信用データファイル
２  バックアップシステム
２１  主計算機
２１１  運用中データベース
２２  メンテナンス計算機
２２１  メンテナンス用データベース
２２２  受信手段
２２３  復元手段
２２４  データベース切替手段
２３  ＬＡＮ
３  ネットワーク
【図１】
2009064149.tif 000003
【図２】
2009064149.tif 000004
【図３】
2009064149.tif 000005
【図４】
2009064149.tif 000006
【図５】
2009064149.tif 000007